(57)【要約】  衣類処理装置は、筒形状の入口部(３０ａ)と出口部(３０ｂ)が設けられ、入口部(３０ａ)と出口部(３０ｂ)を接続する風路(Ｐ１)が内部に形成されたハウジング(１００)と、ハウジング(１００)内の風路(Ｐ１)に、入口部(３０ａ)の軸方向に対してフィルタ面が直交するように配置されたメインフィルタ(２００)と、ハウジング(１００)内の風路(Ｐ１)かつメインフィルタ(２００)の下流側に、入口部(３０ａ)の軸方向に対してフィルタ面が直交するように配置されたサブフィルタ(３００)とを有するフィルタユニット(３０)を備える。これにより、フィルタユニット(３０)内の風路(Ｐ１)の上流側に向かって逆流する空気流の発生を抑え、風路(Ｐ１)の圧力損失を低減できる衣類処理装置を提供する。
2019043965.tif 000002
【特許請求の範囲】
【請求項１】
筒形状の入口部と出口部が設けられ、上記入口部と上記出口部を接続する風路が内部に形成されたハウジングと、
上記ハウジング内の上記風路に、上記入口部の軸方向に対してフィルタ面が直交するように配置されたメインフィルタと、
上記ハウジング内の上記風路かつ上記メインフィルタの下流側に、上記入口部の軸方向に対してフィルタ面が直交するように配置されたサブフィルタと
を有するフィルタユニットを備えたことを特徴とする衣類処理装置。
【請求項２】
請求項１に記載の衣類処理装置において、
上記メインフィルタと上記サブフィルタは夫々、上記ハウジングに着脱可能に取り付けられていることを特徴とする衣類処理装置。
【請求項３】
請求項２に記載の衣類処理装置において、
上記メインフィルタまたは上記サブフィルタの一方を着脱するとき、上記メインフィルタまたは上記サブフィルタの他方と干渉しない着脱構造を有していることを特徴とする衣類処理装置。
【請求項４】
請求項２または３に記載の衣類処理装置において、
上記フィルタユニットが上部に配置された外箱を備え、
上記メインフィルタの上部に、上記外箱の上側に上面が露出するメインフィルタ用把手が設けられ、
上記サブフィルタの上部に、上記外箱の上側に上面が露出するサブフィルタ用把手が設けられていることを特徴とする衣類処理装置。
【請求項５】
請求項４に記載の衣類処理装置において、
上記メインフィルタ用把手または上記サブフィルタ用把手の一方に、上記メインフィルタ用把手または上記サブフィルタ用把手の他方に隣接する切り欠き部が設けられていることを特徴とする衣類処理装置。
【発明の詳細な説明】
【援用記載】
【０００１】
本出願は２０１７年９月１日に出願された日本出願の特願２０１７−１６８７３８に対して、優先権の利益を主張するものであり、その日本出願に記載された全ての記載内容を援用するものである。
【技術分野】
【０００２】
この発明は、衣類処理装置に関する。
【背景技術】
【０００３】
従来、衣類処理装置としては、乾燥運転時に衣類から発生する糸くずや埃などの異物が乾燥ユニットに侵入するのを防ぐためのフィルタユニットを備えたドラム式洗濯乾燥機がある(例えば、特開２０１７−１２６３２号公報(特許文献１)参照)。
【先行技術文献】
【特許文献】
【０００４】
【特許文献１】特開２０１７−１２６３２号公報
【発明の概要】
【発明が解決しようとする課題】
【０００５】
上記ドラム式洗濯乾燥機のフィルタユニットは、糸くずを捕獲するメインフィルタと、そのメインフィルタから漏れた糸くずを捕獲するためのサブフィルタとを備えている。【０００６】
このような構成のフィルタユニットを備えた衣類処理装置において、メインフィルタやサブフィルタのフィルタ面が、入口から流入する気流に対して直交せずに傾斜していると、風路内の上流側に向かって逆流する空気流が生じて、フィルタユニット内の風路の圧力損失が大きくなるという問題がある。【０００７】
そこで、この発明の課題は、フィルタユニット内の風路の上流側に向かって逆流する空気流の発生を抑え、風路の圧力損失を低減できる衣類処理装置を提供することにある。
【課題を解決するための手段】
【０００８】
この発明の一態様に係る衣類処理装置は、
筒形状の入口部と出口部が設けられ、上記入口部と上記出口部を接続する風路が内部に形成されたハウジングと、
上記ハウジング内の上記風路に、上記入口部の軸方向に対してフィルタ面が直交するように配置されたメインフィルタと、
上記ハウジング内の上記風路かつ上記メインフィルタの下流側に、上記入口部の軸方向に対してフィルタ面が直交するように配置されたサブフィルタと
を有するフィルタユニットを備えたことを特徴とする。
【発明の効果】
【０００９】
以上より明らかなように、この発明によれば、ハウジング内の風路においてメインフィルタとサブフィルタを入口部の軸方向に対してフィルタ面が直交するように配置することによって、フィルタユニット内の風路の上流側に向かって逆流する空気流の発生を抑え、風路の圧力損失を低減できる衣類処理装置を実現することができる。
【図面の簡単な説明】
【００１０】
【図１】図１はこの発明の第１実施形態の衣類処理装置の一例としてのドラム式洗濯乾燥機の斜視図である。
【図２】図２は上記ドラム式洗濯乾燥機の正面図である。
【図３】図３は図２のIII−III線から見たドラム式洗濯乾燥機の縦断面図である。
【図４】図４は上記ドラム式洗濯乾燥機の乾燥機能の概略構成を示す模式図である。
【図５】図５は上記ドラム式洗濯乾燥機のフィルタユニットの斜視図である。
【図６】図６は上記フィルタユニットのメインフィルタとサブフィルタを外した状態の斜視図である。
【図７】図７は上記メインフィルタとサブフィルタがない状態のフィルタユニットの縦断面図である。
【図８】図８は上記メインフィルタとサブフィルタが装着された状態のフィルタユニットの縦断面図である。
【図９】図９は上記フィルタユニット内の空気流を示す図である。
【図１０】図１０は比較例のフィルタユニット内の空気流を示す図である。
【図１１】図１１は上記メインフィルタの正面図である。
【図１２】図１２は上記メインフィルタの上面図である。
【図１３】図１３は上記メインフィルタの側面図である。
【図１４】図１４は上記メインフィルタの下面図である。
【図１５】図１５は上記サブフィルタの正面図である。
【図１６】図１６は上記サブフィルタの上面図である。
【図１７】図１７は上記サブフィルタの側面図である。
【図１８】図１８は上記サブフィルタの下面図である。
【発明を実施するための形態】
【００１１】
以下、この発明の衣類処理装置を図示の実施の形態により詳細に説明する。
【００１２】
〔第１実施形態〕
図１はこの発明の第１実施形態の衣類処理装置の一例としてのドラム式洗濯乾燥機１の斜視図を示している。
【００１３】
この第１実施形態のドラム式洗濯乾燥機１は、図１に示すように、外箱８０と、外箱８０の開口部８０ａ(図３に示す)を開閉するドア５０と、外箱８０内に配置された水槽２(図３に示す)と、その水槽２内に回転可能に配置された回転ドラム３(図３に示す)を備える。
【００１４】
外箱８０は、上面部８１と、前面傾斜部８２と、前面部８３と、後面部８４と、一対の側面部８５と、底台８６とによって構成されている。
【００１５】
また、外箱８０の上面部８１の左後面側に給水口１０を設けている。この給水口１０は、図示しない給水ホースを介して水道の蛇口に接続される。
【００１６】
また、外箱８０の上面部８１の右後面側にフィルタユニット３０を配置している。このフィルタユニット３０は、湿潤風に含まれる糸くずや埃などの異物を捕集する。すなわち、糸くずや埃などの異物が、フィルタユニット３０によって循環経路７０(図４に示す)内を流れる空気から捕集される。
【００１７】
また、外箱８０の上面部８１の右前面側に電源ボタン３１を設けている。また、外箱８０の上面部８１の左前側に洗剤ケース１１を配置している。この洗剤ケース１１には、例えば、洗剤、漂白剤および柔軟剤が収容される。
【００１８】
ドア５０は、正面視で略四角形状のドア本体部５１と、ドア本体部５１の上部から後方に傾斜するように設けられた傾斜部５２とを備える。このドア５０の傾斜部５２に、運転動作を選択して指示入力すると共に運転状態を表示する表示操作部５４を設けている。
【００１９】
また、図２はドラム式洗濯乾燥機１の正面図を示している。図２において、図１に示すドラム式洗濯乾燥機１と同一の構成部には同一参照番号を付している。
【００２０】
図２に示すように、外箱８０の前面部８３の左下側に排水フィルタ用ドア６０を開閉可能に取り付けている。この排水フィルタ用ドア６０を開いて、外箱８０内の下側に排水フィルタ２０(図３に示す)内に装着された糸屑フィルタ(図示せず)を着脱する。
【００２１】
上記構成のドラム式洗濯乾燥機１では、表示操作部５４から運転コースの選択や各工程の時間設定などが入力されると、その選択情報や設定情報が入力された制御装置(図示せず)によって、例えば洗濯から乾燥までの一連の動作を実行する。
【００２２】
図３は図２のIII−III線から見たドラム式洗濯乾燥機１の縦断面図を示している。図３において、図１,図２に示すドラム式洗濯乾燥機１と同一の構成部には同一参照番号を付しており、７はヒートポンプユニット、８は送風ファンユニットである。
【００２３】
上記ドラム式洗濯乾燥機１は、図３に示すように、外箱８０内に配置された有底筒形状の水槽２と、この水槽２内に回転可能に配置された有底筒形状の回転ドラム３と、水槽２の後部に取り付けられて回転ドラム３を回転駆動するドラムモータ４とを備える。
【００２４】
また、外箱８０の前面部８３には、洗濯物の出し入れに使用される開口部８０ａが設けられている。この開口部８０ａの周縁に環状部材１７を設けている。
【００２５】
また、外箱８０の前面部８３には、開口部８０ａを開閉するためのドア５０を回動可能に取り付けている。また、ドア５０が閉められた状態で、ドア５０に取り付けられた円錐台形状のガラス製の窓部材５６がパッキン(図示せず)に密着して、水槽２は水密かつ気密が保たれる。
【００２６】
また、外箱８０内に配置された水槽２および回転ドラム３は、ドア５０側に開口しており、ドア５０を開くことにより外箱８０の開口部８０ａを介して回転ドラム３内に洗濯物(図示せず)を出し入れできる。
【００２７】
水槽２の前部の水槽開口部２ａには、漏斗形状の曲面を内周側に有する環状ガイド部５を取り付けている。また、水槽２の後部は、図示しないダンパによって弾性的に支持されている。
【００２８】
洗濯物などの衣類を収容する回転ドラム３は、水槽２よりも若干小径である。ドラム式洗濯乾燥機１では、通常、回転ドラム３の回転軸Ｊは、前方かつ斜め上方を向くように、水平方向に対して傾斜している。
【００２９】
上記回転ドラム３は、前側の回転ドラム開口部３ａを水槽２の水槽開口部２ａの内側に臨むように構成されている。また、外箱８０の開口部８０ａに対向するように回転ドラム開口部３ａが配置されている。回転ドラム３は、ドラムモータ４の回転軸Ｊの端部に連結されて、ドラムモータ４の駆動により水槽２の内部で回転する。また、回転ドラム３は、回転ドラム開口部３ａの外側に周設された流体バランサ２９を有する。回転ドラム３の周壁には、多数の小さな貫通穴２７が全面に亘って形成されている。
【００３０】
給水口１０からの水道水は、給水ダクト(図示せず)と洗剤ケース１１とを経由して、水槽２の上部から水槽２内に供給される。
【００３１】
水槽２の底板近傍を排水フィルタ２０に排水ダクト１９を介して接続している。排水フィルタ２０の下部に接続された排水ホース(図示せず)に排水弁(図示せず)を配設している。この排水弁が開放されると、水槽２内の洗濯水またはすすぎ水は、排水ダクト１９と排水フィルタ２０と排水ホース(図示せず)とを介して外部に排出される。
【００３２】
なお、排水弁(図示せず)を閉鎖した状態で循環ポンプ２４を駆動すると、水槽２内の液体を、排水ダクト１９と排水フィルタ２０および循環ダクト(図示せず)を介して水槽２内に戻すことができる。
【００３３】
図４は上記ドラム式洗濯乾燥機の乾燥機能の概略構成を示している。図４において、図１〜図３に示すドラム式洗濯乾燥機１と同一の構成部には同一参照番号を付している。
【００３４】
上記ドラム式洗濯乾燥機１は、図４に示すように、回転ドラム３内の空気を循環させるための循環経路７０を備えている。この循環経路７０は、第１循環ダクトＬ１、第２循環ダクトＬ２および第３循環ダクトＬ３を有し、乾燥運転時、回転ドラム３内から水槽２外に出た空気が回転ドラム３内に戻るように、その空気を案内する。
【００３５】
上記第１循環ダクトＬ１は、一端部が水槽２の排気口２ｂに接続されている一方、他端部がフィルタユニット３０の入口部３０ａに接続されている。このフィルタユニット３０には、図５,図６に示すメインフィルタ２００とサブフィルタ３００が着脱可能に取り付けられている。
【００３６】
上記メインフィルタ２００は、回転ドラム３内からの空気に含まれる糸くずなどを捕獲し、サブフィルタ３００は、メインフィルタ２００から漏れた糸くずなどを捕獲する。
【００３７】
上記第２循環ダクトＬ２は、一端部がフィルタユニット３０の出口部３０ｂに接続されている一方、他端部がヒートポンプユニット７の吸気口７ａに接続されている。このヒートポンプユニット７の内部は、送風ファンユニット８の内部と連通している。また、ヒートポンプユニット７は、外箱８０内の下側空間の後部に配置されており、乾燥した高温空気を生成する。
【００３８】
上記第３循環ダクトＬ３は、一端部が送風ファンユニット８の吹出口８ａに接続されている一方、他端部が水槽２の給気口２ｃに接続されている。送風ファンユニット８はヒートポンプユニット７の下流側に配置されている。
【００３９】
また、上記送風ファンユニット８の駆動により、回転ドラム３内の空気が循環経路７０を介して循環する。このとき、送風ファンユニット８は、ヒートポンプユニット７からの乾燥した高温空気を第３循環ダクトＬ３へ送る。これにより、上記乾燥した加熱空気は、矢印Ｙで示すように、給気口２ｃから回転ドラム３の空気導入孔(図示せず)を介して回転ドラム３内に導入される。
【００４０】
また、上記高温空気は、回転ドラム３内に収容された洗濯物から水分を奪って、湿った低温空気となる。この低温空気は、矢印Ｚで示すように、回転ドラム３の貫通穴２７(図３に示す)から回転ドラム３と水槽２の間の空間に抜けた後、水槽２の排気口２ｂから、第１循環ダクトＬ１、フィルタユニット３０および第２循環ダクトＬ２を順次流れて、ヒートポンプユニット７に導入される。このとき、フィルタユニット３０が低温空気に含まれる糸くずなどを捕獲する。
【００４１】
図５は上記ドラム式洗濯乾燥機１のフィルタユニット３０の斜視図を示している。
【００４２】
フィルタユニット３０は、図５に示すように、ハウジング１００と、ハウジング１００に上方から装着されたメインフィルタ２００と、ハウジング１００に上方から装着されたサブフィルタ３００とを備えている。ハウジング１００は、ハウジング本体部１００ａと、ハウジング本体部１００ａの側面に設けられ、横方向に延びる円筒形状の入口部３０ａと、ハウジング本体部１００ａの下面に設けられ、下方に向かって延びる円筒形状の出口部３０ｂとを有する。なお、入口部３０ａ,出口部３０ｂは、円筒形状に限らず、断面が楕円などの筒形状であってもよい。
【００４３】
また、図６は上記フィルタユニット３０のメインフィルタ２００とサブフィルタ３００を外した状態の斜視図を示している。
【００４４】
図６に示すように、ハウジング本体部１００ａの入口部３０ａに隣接する位置に、上部が開口する第１収納部１１０を設けている。また、ハウジング本体部１００ａの入口部３０ａの反対側かつ第１収納部１１０に隣接する位置に、上部が開口する第２収納部１２０を設けている。第１収納部１１０に上方からメインフィルタ２００が装着され、第２収納部１２０に上方からサブフィルタ３００が装着される。
【００４５】
図６において、１１０ａは第１収納部１１０の挿入口、１２０ａは第２収納部１２０の挿入口、１１１はガイド面、１２１はガイド溝である。
【００４６】
図７は上記メインフィルタ２００とサブフィルタ３００がない状態のフィルタユニット３０の縦断面図を示し、図８は上記メインフィルタ２００とサブフィルタ３００が装着された状態のフィルタユニット３０の縦断面図を示している。図７,図８において、図５,図６と同一の構成部には同一参照番号を付している。
【００４７】
図７,図８に示すように、ハウジング１００内の風路Ｐ１においてメインフィルタ２００とサブフィルタ３００が入口部３０ａの軸方向に対してフィルタ面が直交するように配置されている。ここで、入口部３０ａの軸方向とは、円筒形状の入口部３０ａの軸に沿った方向であり、少なくとも入口部３０ａから流入する空気流の方向である。また、メインフィルタ２００のフィルタ面は、後述する図１１〜図１４に示す箱形枠体２１０の側面の網部２２０、側面の網部２３０、底面の網部２４０のうち、入口部３０ａの軸方向に対して直交する網部２２０を主たるフィルタ面としている。
【００４８】
このメインフィルタ２００とサブフィルタ３００は、上下方向に個別に着脱可能であって、メインフィルタ２００またはサブフィルタ３００の一方を着脱するとき、メインフィルタ２００またはサブフィルタ３００の他方と干渉しない着脱構造としている。
【００４９】
なお、図７,図８において、１１１は第１収納部１１０内に設けられたガイド面、１２１は第２収納部１２０内に設けられたガイド溝である。ガイド面１１１は、ハウジング１００内の風路Ｐ１を挟んで両側に設けられている。また、ガイド溝１２１は、ハウジング１００内の風路Ｐ１を挟んで両側に設けられている。
【００５０】
図９はフィルタユニット３０内の空気流を示し、図１０は比較例のフィルタユニット１０３０内の空気流を示している。図９,図１０はフィルタユニットの形状を除いて同一の条件で行ったシミュレーションの結果を示している。
【００５１】
この第１実施形態では、図９に示すように、ハウジング本体部１００ａに設けられた入口部３０ａ側に向かって逆流する空気流の発生が抑えられている。これによって、フィルタユニット３０内の風路Ｐ１の圧力損失を低減できる。
【００５２】
これに対して、図１０の比較例では、本体部１１００に設けられた入口部１０３０ａの軸方向に対してメインフィルタ１２００のフィルタ面が傾いているため、風路Ｐ２内のメインフィルタ１２００の下側において、入口部１０３０ａ側に向かって逆流する空気流が発生して、フィルタユニット内の風路Ｐ２の圧力損失が大きくなっている。
【００５３】
図１１〜図１４は上記メインフィルタ２００の正面図,上面図,側面図および下面図を示している。図１１〜図１４において、同一構成部には同一参照番号を付している。
【００５４】
図１１〜図１４に示すように、メインフィルタ２００は、メインフィルタ本体部２０１と、メインフィルタ本体部２０１の上部に設けられたメインフィルタ把手部２０２とを有する。
【００５５】
メインフィルタ本体部２０１は、図１１に示すように、メインフィルタ把手部２０２から下方に延びる箱形枠体２１０を有する。この箱形枠体２１０の対向する主たる側面の一方が開口し、他方に複数の縦桟２２１と複数の横桟２２２を格子状に設けている。この縦桟２２１と横桟２２２および箱形枠体２１０に囲まれた各開口は網部２２０で覆われている。
【００５６】
また、メインフィルタ把手部２０２と箱形枠体２１０との間かつ全周に渡って設けられた溝(図示せず)にシール部材２５０を嵌合している。このメインフィルタ２００のシール部材２５０は、図６,図７に示すハウジング１００の第１収納部１１０の挿入口１１０ａの内周面とメインフィルタ本体部２０１の上部との間を密閉する。
【００５７】
また、図１２に示すように、メインフィルタ把手部２０２は、略長方形の板状の把手２０３(メインフィルタ用把手)を有している。この板状の把手２０３の長手方向の一辺に矩形状の切り欠き部２０３ａを設けている。この切り欠き部２０３ａは、ハウジング１００に装着された状態でサブフィルタ３００(図１５〜図１８に示す)のサブフィルタ把手部３０２に隣接する。
【００５８】
上記メインフィルタ２００とサブフィルタ３００がハウジング１００に装着された状態で、板状の把手２０３の切り欠き部２０３ａは、手指を挿入する手掛穴となる。したがって、メインフィルタ２００とサブフィルタ３００がハウジング１００に装着された状態でメインフィルタ２００側の切り欠き部２０３ａに手指を入れて、板状の把手２０３側に手指を掛けてメインフィルタ２００のみを引き出したり、図１６に示す板状の把手３０３(サブフィルタ用把手)側に手指を掛けてサブフィルタ３００のみを引き出したりすることが可能である。
【００５９】
また、図１３に示すように、図１１に示す網部２２０が設けられた主たる側面に隣接する２つの側面に、縦桟２３１と複数の横桟２３２を設けている。この縦桟２３１と横桟２３２および箱形枠体２１０に囲まれた各開口は網部２３０で覆われている。また、箱形枠体２１０の両側面の下側かつ下流側(図１３において右側)に、湾曲した凸部２６０を設けている。メインフィルタ２００をハウジング１００の第１収納部１１０(図７,図８に示す)に装着するとき、メインフィルタ２００の両側面の凸部２６０が、第１収納部１１０のガイド面１１１(図７,図８に示す)によって案内される。
【００６０】
また、図１４に示すように、箱形枠体２１０の底面に複数の桟２４１を互いに平行に間隔をあけて設けている。この桟２４１および箱形枠体２１０に囲まれた各開口は網部２４０で覆われている。
【００６１】
また、図１５〜図１８は上記サブフィルタ３００の正面図,上面図,側面図および下面図を示している。図１５〜図１８において、同一構成部には同一参照番号を付している。
【００６２】
図１５〜図１８に示すように、サブフィルタ３００は、サブフィルタ本体部３０１と、サブフィルタ本体部３０１の上部に設けられたサブフィルタ把手部３０２とを有する。
【００６３】
サブフィルタ本体部３０１は、図１５に示すように、サブフィルタ把手部３０２から下方に延びる長方形状の枠体３１０を有する。この枠体３１０に複数の縦桟３２１と複数の横桟３２２を格子状に設けている。この縦桟３２１と横桟３２２および枠体３１０に囲まれた各開口は網部３２０で覆われている。
【００６４】
また、サブフィルタ把手部３０２と枠体３１０との間かつ全周に渡って設けられた溝(図示せず)にシール部材３５０を嵌合している。このサブフィルタ３００のシール部材３５０は、図６,図７に示すハウジング１００の第２収納部１２０の挿入口１２０ａの内周面とサブフィルタ本体部３０１の上部との間を密閉する。
【００６５】
また、枠体３１０の側面および底面にシール部材３６０を嵌合している。このサブフィルタ３００のシール部材３６０は、図６,図７に示すハウジング１００の風路Ｐ１の内周面(ガイド溝１２１の内面を含む)とサブフィルタ３００の枠体３１０との間を密閉する。
【００６６】
サブフィルタ３００をハウジング１００の第２収納部１２０(図７,図８に示す)に装着するとき、サブフィルタ本体部３０１の両側面が、第２収納部１２０のガイド溝１２１(図７,図８に示す)によって案内される。
【００６７】
また、図１６に示すように、サブフィルタ把手部３０２は、略長方形の板状の把手３０３(サブフィルタ用把手)を有している。
【００６８】
上記構成のドラム式洗濯乾燥機１によれば、ハウジング１００内の風路Ｐ１においてメインフィルタ２００とサブフィルタ３００が入口部３０ａの軸方向に対してフィルタ面が直交するように配置されていることによって、フィルタユニット３０内の風路Ｐ１の上流側に向かって逆流する空気流の発生が抑制されるので、風路Ｐ１の圧力損失を低減することができる。
【００６９】
また、上記メインフィルタ２００とサブフィルタ３００の夫々が、ハウジング１００に着脱可能に取り付けられているので、フィタル清掃などのメンテナンス性が向上する。
【００７０】
また、上記メインフィルタ２００またはサブフィルタ３００の一方を着脱するとき、メインフィルタ２００またはサブフィルタ３００の他方と干渉しない着脱構造とすることによって、メインフィルタ２００とサブフィルタ３００を個別に着脱でき、利便性が向上する。
【００７１】
また、上記メインフィルタ２００の上部に板状の把手２０３(メインフィルタ用把手)が設けられ、サブフィルタ３００の上部に板状の把手３０３(サブフィルタ用把手)が設けられているので、メインフィルタ２００およびサブフィルタ３００の夫々の着脱が容易にできる。
【００７２】
また、上記メインフィルタ２００の板状の把手２０３およびサブフィルタ３００の板状の把手３０３の両方が、ドラム式洗濯乾燥機１の上面において露出しているので、メインフィルタ２００とサブフィルタ３００の装着の有無を容易に視認することが可能になり、装着忘れなどを防止することができる。
【００７３】
また、上記板状の把手２０３側にサブフィルタ３００の板状の把手３０３に隣接する切り欠き部２０３ａを設けることによって、その切り欠き部２０３ａを利用してサブフィルタ３００を取り外すことが容易になる。
【００７４】
なお、サブフィルタ３００の板状の把手３０３側のみに板状の把手２０３(メインフィルタ用把手)に隣接する切り欠き部を設けてもよい。
【００７５】
また、上記第１実施形態では、メインフィルタ２００とサブフィルタ３００に板状の把手２０３,３０３を設けたが、把手の形状はこれに限らず、手指をかける突起状の把手でもよい。
【００７６】
〔第２実施形態〕
この発明の第２実施形態の衣類処理装置の一例としてのドラム式洗濯乾燥機は、メインフィルタとサブフィルタの取り付け構造を除いて第１実施形態のドラム式洗濯乾燥機１と同一の構成をしており、図１〜図４を援用する。
【００７７】
この第２実施形態のドラム式洗濯乾燥機は、第１実施形態と同様、ハウジング１００内の風路Ｐ１においてメインフィルタとサブフィルタが入口部３０ａの軸方向に対してフィルタ面が直交するように配置されている。このドラム式洗濯乾燥機では、ハウジング１００にメインフィルタとサブフィルタが固定されている。
【００７８】
この場合、例えばメインフィルタとサブフィルタに対して水洗浄やブラシ清掃などの機能を備えることにより、メンテナンスが可能である。
【００７９】
このように、メインフィルタとサブフィルタの夫々がハウジング１００に着脱可能でない構成のドラム式洗濯乾燥機においても、ハウジング１００内の風路Ｐ１においてメインフィルタ２００とサブフィルタ３００が入口部３０ａの軸方向に対してフィルタ面が直交するように配置されていることによって、フィルタユニット３０内の風路Ｐ１の上流側に向かって逆流する空気流の発生が抑制されるので、風路Ｐ１の圧力損失を低減することができる。
【００８０】
〔第３実施形態〕
この発明の第３実施形態の衣類処理装置の一例としてのドラム式乾燥機は、洗濯機としての機能を除いて第１実施形態のドラム式洗濯乾燥機１と同一の構成をしており、図１〜図１６を援用する。
【００８１】
上記第３実施形態のドラム式乾燥機は、第１実施形態のドラム式洗濯乾燥機１と同様の効果を有する。
【００８２】
上記第１〜第３実施形態では、衣類処理装置として、ドラム式洗濯乾燥機１とドラム式乾燥機について説明したが、他の構成の衣類処理装置にこの発明を適用してもよい。
【００８３】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【００８４】
この発明および実施形態をまとめると、次のようになる。
【００８５】
この発明の一態様に係る衣類処理装置は、
筒形状の入口部３０ａと出口部３０ｂが設けられ、上記入口部３０ａと上記出口部３０ｂを接続する風路Ｐ１が内部に形成されたハウジング１００と、
上記ハウジング１００内の上記風路Ｐ１に、上記入口部３０ａの軸方向に対してフィルタ面が直交するように配置されたメインフィルタ２００と、
上記ハウジング１００内の上記風路Ｐ１かつ上記メインフィルタ２００の下流側に、上記入口部３０ａの軸方向に対してフィルタ面が直交するように配置されたサブフィルタ３００と
を有するフィルタユニット３０を備えたことを特徴とする。
【００８６】
上記構成によれば、ハウジング１００内の風路Ｐ１においてメインフィルタ２００とサブフィルタ３００が入口部３０ａの軸方向に対してフィルタ面が直交するように配置されていることによって、フィルタユニット３０内の風路Ｐ１の上流側に向かって逆流する空気流の発生が抑制されるので、風路Ｐ１の圧力損失を低減できる。
【００８７】
また、一実施形態の衣類処理装置では、
上記メインフィルタ２００と上記サブフィルタ３００は夫々、上記ハウジング１００に着脱可能に取り付けられている。
【００８８】
上記実施形態によれば、メインフィルタ２００とサブフィルタ３００の夫々が、ハウジング１００に着脱可能に取り付けられているので、フィタル清掃などのメンテナンス性が向上する。
【００８９】
また、一実施形態の衣類処理装置では、
上記メインフィルタ２００または上記サブフィルタ３００の一方を着脱するとき、上記メインフィルタ２００または上記サブフィルタ３００の他方と干渉しない着脱構造を有している。
【００９０】
上記実施形態によれば、メインフィルタ２００またはサブフィルタ３００の一方を着脱するとき、メインフィルタ２００またはサブフィルタ３００の他方と干渉しない着脱構造を有することによって、メインフィルタ２００とサブフィルタ３００を個別に着脱でき、利便性が向上する。
【００９１】
また、一実施形態の衣類処理装置では、
上記フィルタユニット３０が上部に配置された外箱８０を備え、
上記メインフィルタ２００の上部に、上記外箱８０の上側に上面が露出するメインフィルタ用把手２０３が設けられ、
上記サブフィルタ３００の上部に、上記外箱８０の上側に上面が露出するサブフィルタ用把手３０３が設けられている。
【００９２】
上記実施形態によれば、メインフィルタ２００の上部に、外箱８０の上側に上面が露出するメインフィルタ用把手２０３が設けられ、サブフィルタ３００の上部に、外箱８０の上側に上面が露出するサブフィルタ用把手３０３が設けられているので、メインフィルタ２００およびサブフィルタ３００の夫々の着脱が容易にできる。また、メインフィルタ２００のメインフィルタ用把手２０３およびサブフィルタ３００のサブフィルタ用把手３０３の両方が、外箱８０の上面において露出しているので、メインフィルタ２００とサブフィルタ３００の装着の有無を容易に視認することが可能になり、装着忘れなどを防止できる。
【００９３】
また、一実施形態の衣類処理装置では、
上記メインフィルタ用把手２０３または上記サブフィルタ用把手３０３の一方に、上記メインフィルタ用把手２０３または上記サブフィルタ用把手３０３の他方に隣接する切り欠き部２０３ａが設けられている。
【００９４】
上記実施形態によれば、メインフィルタ用把手２０３またはサブフィルタ用把手３０３の一方に、メインフィルタ用把手２０３またはサブフィルタ用把手３０３の他方に隣接する切り欠き部２０３ａを設けることによって、メインフィルタ２００またはサブフィルタ３００の一方にのみ切り欠き部２０３ａを設けても、その切り欠き部２０３ａを利用してメインフィルタ２００またはサブフィルタ３００の他方を取り外すことが容易になる。
【符号の説明】
【００９５】
１…ドラム式洗濯乾燥機
２…水槽
２ａ…水槽開口部
２ｂ…排気口
２ｃ…給気口
３…回転ドラム
３ａ…回転ドラム開口部
４…ドラムモータ
５…環状ガイド部
７…ヒートポンプユニット
８…送風ファンユニット
１０…給水口
１１…洗剤ケース
１７…環状部材
１８…パッキン
１９…排水ダクト
２０…排水フィルタ
２４…循環ポンプ
２９…流体バランサ
３０…フィルタユニット
３０ａ…入口部
３０ｂ…出口部
３１…電源ボタン
５０…ドア
５１…ドア本体部
５２…傾斜部
５４…表示操作部
５６…窓部材
６０…排水フィルタ用ドア
７０…循環経路
８０…外箱
８０ａ…開口部
８１…上面部
８２…前面傾斜部
８３…前面部
８４…後面部
８５…側面部
８６…底台
１００…ハウジング
１００ａ…ハウジング本体部
１１０…第１収納部
１１０ａ…挿入口
１１１…ガイド面
１２０…第２収納部
１２０ａ…挿入口
２００…メインフィルタ
２０１…メインフィルタ本体部
２０２…メインフィルタ把手部
２０３…板状の把手(メインフィルタ用把手)
２０３ａ…切り欠き部
２１０…箱形枠体
２２０,２３０,２４０…網部
２２１,２３１…縦桟
２２２,２３２…横桟
２４１…桟
２５０…シール部材
２６０…凸部
３００…サブフィルタ
３０１…サブフィルタ本体部
３０２…サブフィルタ把手部
３０３…板状の把手(サブフィルタ用把手)
３１０…枠体
３２０…網部
３２１…縦桟
３２２…横桟
３５０,３６０…シール部材
Ｊ…回転軸
Ｌ１…第１循環ダクト
Ｌ２…第２循環ダクト
Ｌ３…第３循環ダクト
Ｐ１…風路
【図１】
2019043965.tif 000003
【図２】
2019043965.tif 000004
【図３】
2019043965.tif 000005
【図４】
2019043965.tif 000006
【図５】
2019043965.tif 000007
【図６】
2019043965.tif 000008
【図７】
2019043965.tif 000009
【図８】
2019043965.tif 000010
【図９】
2019043965.tif 000011
【図１０】
2019043965.tif 000012
【図１１】
2019043965.tif 000013
【図１２】
2019043965.tif 000014
【図１３】
2019043965.tif 000015
【図１４】
2019043965.tif 000016
【図１５】
2019043965.tif 000017
【図１６】
2019043965.tif 000018
【図１７】
2019043965.tif 000019
【図１８】
2019043965.tif 000020
【国際調査報告】
2019043965.tif 000021
2019043965.tif 000022
2019043965.tif 000023
2019043965.tif 000024